(57)【要約】【課題】釘、ボルト、ピンのような固定素子を下地に打ち込むための燃焼力作動型打ち込み装置（１０）において、換気手段（４１）を作動させるための電池を不要とすることによって、重量を顕著に軽減するとともに、ユーザによる電池交換の手間を省く。【解決手段】少なくとも１個の閉鎖可能な入口開口（１５）と少なくとも１個の閉鎖可能な出口開口（１９）とを備える酸化剤と燃料混合物を燃焼させるための燃焼室（１３）と、前記入口開口（１５）から前記燃焼室（１３）を通って前記出口開口（１９）にいたる気流を発生させる換気手段（４１）とを有する打ち込み装置（１０）に、前記換気手段（４１）のための燃焼エネルギー作動型駆動ユニット（４２）を設ける。【選択図】図２
2007098568.tif 000002
【特許請求の範囲】
【請求項１】
釘、ボルト、ピンのような固定素子を下地に打ち込むための燃焼力作動型打ち込み装置であって、
少なくとも１個の閉鎖可能な入口開口（１５）と少なくとも１個の閉鎖可能な出口開口（１９）とを備える、酸化剤と燃料の混合物を燃焼させるための燃焼室（１３）と、
前記入口開口（１５）から前記燃焼室（１３）を通って前記出口開口（１９）にいたる気流を発生させる換気手段（４１）とを有する該打ち込み装置において、
前記換気手段（４１）のための燃焼エネルギー作動型駆動ユニット（４２）を含むことを特徴とする打ち込み装置。
【請求項２】
前記燃焼エネルギー作動型駆動ユニット（４２）が、燃焼エネルギーから生じた運動エネルギーを蓄積するためのエネルギー蓄積装置（４７）を有し、このエネルギー蓄積装置（４７）が前記換気手段（４１）に連結されていることを特徴とする請求項１に記載の打ち込み装置。
【請求項３】
前記エネルギー蓄積装置（４７）が、複数回の燃焼プロセスによって発生するエネルギーを蓄積可能な蓄積容量を有することを特徴とする請求項１または２に記載の打ち込み装置。
【請求項４】
前記エネルギー蓄積装置（４７）がばね素子として構成されていることを特徴とする請求項１〜３のうちいずれか一項に記載の打ち込み装置。
【請求項５】
前記エネルギー蓄積装置（４７）が、ぜんまい装置として構成されたエネルギー蓄積ユニット（１４７）の一部分であることを特徴とする請求項１〜４のうちいずれか一項に記載の打ち込み装置。
【請求項６】
前記燃焼エネルギー作動型駆動ユニット（４２）が、シリンダ（４３）の内部でガイドされるピストン（４４）を含むとともに、このシリンダ（４３）が前記燃焼室（１３）と連通していることを特徴とする請求項１〜５のうちいずれか一項に記載の打ち込み装置。
【請求項７】
前記ピストン（４４）が、ばね素子（５７）によって前記シリンダ（４３）の前記燃焼室（１３）とは逆側の端部に支持されることを特徴とする請求項１〜６のうちいずれか一項に記載の打ち込み装置。
【請求項８】
前記ピストン（４４）に、前記ピストン（４４）のストローク運動を前記エネルギー蓄積装置（４７）の導入素子（４６）に伝達する伝達部材（４５）が配置されていることを特徴とする請求項１〜７のうちいずれか一項に記載の打ち込み装置。
【請求項９】
前記伝達部材（４５）がラック歯車として、前記導入素子（４６）がピニオン歯車として構成されていることを特徴とする請求項８に記載の打ち込み装置。
【発明の詳細な説明】
【技術分野】
【０００１】
本発明は、少なくとも１個の閉鎖可能な入口開口と少なくとも１個の閉鎖可能な出口開口とを備える、酸化剤と燃料の混合物を燃焼させるための燃焼室と、前記入口開口から前記燃焼室を通って前記出口開口にいたる気流を発生させる換気手段とを有するような燃焼力作動型打ち込み装置（鋲打機）に関する。
【背景技術】
【０００２】
この種の打ち込み装置は、燃焼室を有し、その内部において一定量の液化ガスまたは他の気化可能な燃焼物を酸化剤、例えば周囲の空気と一緒に燃焼させる。燃焼から可能な限り高い打ち込みエネルギーを得られるようにするには、燃焼プロセスの後に排気ガスを燃焼空間すなわち燃焼室から可能な限り完全に排出することが重要である。そのために、本技術分野では例えば換気手段を設け、この換気手段により、打ち込みプロセスの後、燃焼空間に外気を通過させ、燃焼空間を掃気することが行われている。
【０００３】
米国特許第４４０３７２２号明細書（特許文献１）には、空気と燃焼ガスとの混合物を燃焼させるための燃焼室を有する前記のような燃焼力作動型打ち込み装置が記載されており、その燃焼室の後壁には換気手段が配置される。この換気手段は、電池によって電気エネルギーの供給を受ける電動モータによって駆動される。この電池は、補給ケースの鋲体収容部に対して平行に設けられた収容部に配置される。
【特許文献１】米国特許第４４０３７２２号明細書
【０００４】
このような打ち込み装置には、電池または蓄電池を必要とする、手動案内される打ち込み装置としては重量が大きいという欠点がある。さらに、蓄積されていた電気エネルギーを使い切ってしまった場合には、電池を交換しなければならないという欠点がある。
【発明の開示】
【発明が解決しようとする課題】
【０００５】
従って、本発明の課題は、前記のような打ち込み装置であって、上述のような欠点が回避されているともに、簡単な手法で燃焼空間の換気を行うものを開発することにある。この課題は、本発明により、請求項１に記載された対策によって解決される。
【課題を解決するための手段】
【０００６】
すなわち、本発明の打ち込み装置は、換気手段のための燃焼エネルギー作動型駆動ユニットを有し、この駆動ユニットは、打ち込み装置の燃焼エネルギーを直接的または間接的に、換気手段のための駆動エネルギーとして利用する。従って、換気手段を作動させるための電池を不要とすることが可能になり、これにより、一方で重量が顕著に軽減されるとともに、他方でユーザによる電池交換の手間を省くことができる。
【０００７】
この場合、燃焼エネルギー作動型駆動ユニットに、燃焼エネルギーから生じた運動エネルギーを蓄積するためのエネルギー蓄積装置を設け、このエネルギー蓄積装置を換気手段に連結すると好適である。このような対策により、換気手段のための駆動エネルギーを蓄積させ、その後のある時点において取り出して費消することができる。従って、燃焼エネルギーが解放される際、つまり打ち込みプロセス中に換気手段を作動させる必要がなくなり、打ち込みプロセスが終了した後初めて、または同様に打ち込みプロセスの前に利用することができるようになる。
【０００８】
エネルギー蓄積装置に複数回の燃焼プロセスによって発生するエネルギーを蓄積可能な蓄積容量を設けると好適である。これによって、打ち込みプロセスの際、例えば燃焼ガスのストックが底を尽き、不完全な燃焼が生じたことにより、ピストンから換気手段に充分なエネルギーを伝達することができない場合にも、換気手段を作動させることができる。エネルギー蓄積装置により、エネルギーの不足が補填されるとともに、外気による燃焼室の完全な掃気が保証される。
【０００９】
本発明の技術的に簡単な変更例において、エネルギー蓄積装置をばね素子、例えば渦巻ばねやぜんまい、板ばね、エラストマばねなどとして構成する。この場合、蓄積容量をより大きくするために、複数のばね素子をエネルギー蓄積装置として設けることもできる。
【００１０】
エネルギー蓄積装置が、ぜんまい装置として構成されたエネルギー蓄積ユニットの一部分であると、同様に好適である。この場合、ぜんまい装置とは、導入素子の回転エネルギーによってエネルギー蓄積装置にエネルギーを充填させるためのエネルギー蓄積装置とは別の装置と、蓄積されたエネルギーを駆動装置を介して放出させるための場合に応じて切替可能な装置とを有する機構をいい、これらの装置に、１個以上の空転装置（フリーホイール）および／または駆動運動を減速もしくは変速させる伝動装置を含めることができる。蓄積されたエネルギーを放出させるための切替可能な装置に、切替命令を受けた後に一定の時間間隔の間、ぜんまい装置を始動または駆動させるとともに、その時間の経過後に自動的にぜんまい装置を停止する機構を設けることができる。従って、予め定めた時間間隔の間、そのつど換気手段を作動させることができる。
【００１１】
燃焼エネルギー作動型駆動ユニットにシリンダの内部でガイドされるピストンを含めるとともに、このシリンダを燃焼室と連通させるとさらに好適である。ピストンのストローク移動が、燃焼エネルギー作動型駆動ユニットの内部で、簡単な手法により換気手段の回転運動に変換されるので、このような解決法は設計上の無駄が少ない。この場合、前記ピストンを、打ち込み装置の打ち込みピストンによって兼用することができ、あるいは摺動可能な燃焼室後壁によって形成することもできる。
【００１２】
前記ピストンをばね素子によってシリンダの前記燃焼室とは逆側の端部に支持させると好適である。これによって、簡単な手法によりピストンをその開始態勢に移行させることができる。この場合、ばね素子は、エネルギー蓄積装置としても利用することができる。
【００１３】
さらに、前記ピストンに、そのストローク運動を、ストローク運動を回転運動に変換するエネルギー蓄積装置の導入素子に伝達する伝達部材を配置すると有利である。ある設計上簡単な解決法では、前記伝達部材をラック歯車として、前記導入素子をピニオン歯車として構成する。
【００１４】
本発明のさらなる長所および対策を従属請求項、以下の説明および図面に示す。図面に、本発明の２つの実施例を示す。以下では、図面を参照して本発明について詳細に説明する。
【発明を実施するための最良の形態】
【００１５】
図１〜３は、本発明による手動ガイド式燃焼力作動型打ち込み装置１０を示しており、この打ち込み装置１０は、液体の燃料または気化させた燃料によって作動する。
【００１６】
図１に示す打ち込み装置１０は、打ち出し態勢または開始態勢にある。打ち込み装置１０はハウジング１１を有し、その内部に打ち込み機構が配置され、この打ち込み機構により、打ち込み装置を下地に押し付けて作動させたときに、固定素子、例えば釘や鋲、ピンなどを下地に打ち込むことができる。
【００１７】
打ち込み機構には、特に、燃焼室ハウジング１２の内部に配置された燃焼室と、内部で打ち込みピストンを摺動可能に支持するピストンガイド１７と、ピンガイド１８とが含まれる。固定素子は、このピンガイド１８の内部においてガイドされるとともに、打ち込みピストン１６の前方に移動する打ち込み方向側端部によって移動させられ、従って、下地に打ち込まれうる。この場合、打ち込み素子は、例えば打ち込み装置１０の補給庫３７にストックすることができる。
【００１８】
燃焼室ハウジング１２は、ピストンガイド１７に固着されるとともに、ピストンガイド１７に対面するその端部領域に少なくとも１個の出口開口１９を有する。燃焼室１２ハウジングの外側において、スリーブとして構成された第１閉鎖手段２６が軸線方向に摺動ガイドされ、出口開口１９は、この第１閉鎖手段２６によって閉じることができる。この場合、出口開口１９の第１閉鎖手段２６に対する密封性を強化するために、例えばＯリングとして構成された封止体２８を設ける。さらに、第１閉鎖手段２６は、押し付けロッドの形で構成された押し付けロッド２５に連結され、この押し付けロッドは、ピンガイド１８に摺動ガイドされる押し付けガイド５８に連結されている。
【００１９】
燃焼室ハウジング１２のピストンガイド１７とは逆側の端部に、燃焼室後壁１４を設け、その内部にハウジングの空気入口３９に連通された入口開口１５を配置する。この入口開口１５は、閉鎖プレートとして構成された第２閉鎖手段２７によって閉じることができ、この第２閉鎖手段２７は、同様に押し付けロッド２５に結合させる。この場合、入口開口１５の第２閉鎖手段２７に対する密封性を強化するために、例えばＯリングとして構成された封止素子２９を設ける。
【００２０】
この実施例において、燃焼室１３は、分離壁３３によって第１の小室３１と第２の小室３２とに分割され、第１小室３１内のみに、燃焼室１３の内部に存在する、空気と燃料の混合物を点火するための点火ユニット２３が配置される。分離壁３３には環状開口３５が設けられ、横断開口６０を備えた環状プレート３４は、押し付けロッド２５によってこの環状開口３５の内部を移動することができる。さらに、環状プレート３４は、押し付けロッド２５に結合された支持素子５９に載置され、この支持素子５９は第２閉鎖手段２７をも支持する。
【００２１】
燃焼室１３の内部への燃料の供給は、例えば液体ガス用容器のような燃料タンク２０から燃料導管２１を経由させて行う。さらに、燃料導管２１の内部には、全体として参照符号２２が付された配量装置２２が設けられ、この配量装置２２は、例えば２個の配量バルブを含み、この配量バルブそれぞれが、各々の小室３１、３２に供給される燃料の計量を個別に行う。配量装置２２の制御または作動は、押し付けロッド２５、打ち込み装置１０のハンドグリップ３６に設けられた作動スイッチ、または図示されていない制御装置によって行うことができる。
【００２２】
打ち込み装置１０は、さらに、全体として参照番号４０が付された換気手段装置４０を有し、この換気手段装置４０は、燃焼エネルギーによって作動する駆動ユニット４２によって作動させることのできる換気手段４１を含み、この換気手段４１は、入口開口１５を空気入口３９とつなげるチャネル１３９に配置される。この場合、換気手段４１は、ピボット軸受５６によって回転可能に軸受されるシャフト４９に載置される。燃焼エネルギーによって作動する駆動ユニット４２は、シリンダ４３の内部で移動可能にガイドされるピストン４４を有する。この場合、ピストン４４は、ばね素子５７によって、シリンダ４３の燃焼室１３とは逆側の端部に支持される。シリンダ４３の他方の端部は、燃焼室１３に対して開放されている。
【００２３】
燃焼エネルギーによって作動する駆動ユニット４２は、さらにエネルギー蓄積ユニット１４７を有し、このエネルギー蓄積ユニット１４７は、ぜんまい装置として構成されているとともに、図において点線で示されている渦巻ばねとして構成されたエネルギー蓄積装置４７を有する。エネルギー蓄積ユニット１４７は、歯車として構成された導入素子４６を有し、この歯車は、ラックとして構成された伝達部材４５とかみ合い、この伝達部材４５はピストン４４と結合している。従って、ピストン４４が移動する際、そのばね素子５７の方向へのストローク移動は、伝達部材４５と、これと一緒に作用する導入素子４６とを介してエネルギー蓄積ユニット１４７、および従ってエネルギー蓄積装置４７に伝達される。エネルギー蓄積ユニット１４７は、回転可能に軸受された駆動素子４８を有し、この駆動素子４８は、歯車として構成されているとともに、エネルギー蓄積装置４７に回転エネルギーの形で蓄積されたエネルギーによって再度始動することができる。この場合、駆動素子４８は、同様に歯車として構成された導入歯車５０を介して、シャフト４９および従って換気手段４１に連結させる。説明を加えた駆動素子４８と導入歯車５０との間の伝動部に加えて、エネルギー蓄積装置４７と駆動素子４８との間に、図示されないさらなるギア伝動部を設けることができる。
【００２４】
第２閉鎖手段２７に、換気手段４１に対向するとともに、ピンとして構成された制限素子３０を配置する。制限素子３０が図２に示されるように換気手段４１のロータ板の間に突出しているとき、換気手段４１はこの制限素子３０によって回転を阻害される。
【００２５】
図２に示される打ち込み装置１０は、図１で描写されている押し付け接触部５８と一緒にすでに下地に押し付けられており、従って、押し付けロッド２５は、矢印７１の方向に燃焼室１３に向かって摺動した状態である。これにより、入口開口１５は第２閉鎖手段２７によって、出口開口１９は第１閉鎖手段２６によって閉鎖される。制限素子３０は、換気手段４１のロータ板の間に突出しており、従って換気手段４１を妨害する。さらに、環状のプレート３４は、分離壁３３の環状開口３５に嵌合する。作動スイッチ３８（図１参照）を作動させることによって、点火ユニット２３が作動するとともに、燃焼室１３の内部に存在する空気と燃料の混合物の点火が生じる。この燃焼は、この場合分離壁３３または環状プレート３４の縦断開口６０を通って、第１小室３１から第２小室に飛び火し（矢印６１参照）、従って燃焼中の気体内における効率的な燃焼に必要な乱流が生じる。膨張する燃焼ガスによって、打ち込みピストン１６が打ち込み方向６２に移動する。燃焼室１３に続くシリンダ４３の開口があることにより、同様に、ピストン２２は膨張する燃焼ガスによって押圧され、矢印６３の方向にピストン４４によって支持されたばね素子５７に向かって移動し、その際、伝達部材４５が一緒に移動する。これにより、導入素子４６は矢印６５の方向に回転し、従って、ぜんまい装置として構成されたエネルギー蓄積ユニット１４７が巻かれるとともに、渦巻ばねとして構成されたエネルギー蓄積装置４７に荷重がかかる。しかし、同時に、導入素子４６が回転することによって、エネルギー蓄積装置４７の駆動素子４８にも荷重がかかるが、にもかかわらず、その際動作するはずの前記駆動素子４８は、換気手段４１を妨害する制限素子３０があることにより依然として妨害されている。
【００２６】
図３に示される打ち込み装置１０は、下地から引き上げられたところである。これにより、出口開口１９および入口開口１５が開く。この場合、押し付けロッド２５並びに第１および第２閉鎖手段２６、２７は、例えばここでは図示されていないばね素子によって、矢印７０の方向に復帰させることができる。
【００２７】
制限素子３０も、第２閉鎖手段と一緒に、矢印７０の方向に移動する。これによって、換気手段４１が開放され、従って、その際この換気手段４１は、導入歯車５０とかみ合う駆動素子４８を介して、エネルギー蓄積ユニット１４７によって駆動されるとともに、矢印６８の示す回転方向に回転する。矢印６９の方向に空気入口３９から燃焼室１３の内部へ流れるとともに、さらに出口開口１９を介してハウジング１１の排気開口１４０にいたる気流が発生する（図１参照）。気流によって、依然として存在する排気ガスが周囲に排出される。
【００２８】
その際、換気手段４１は、エネルギー蓄積ユニット１４７によって決定されるある一定時間だけ、エネルギー蓄積ユニット１４７によって作動する。その後、エネルギー蓄積ユニット１４７は、導入素子４６が新たに矢印６５の方向に回転するまで、駆動素子４８を再度阻害する。
【００２９】
ピストン４４は、出口開口１９および入口開口１９が開いた後に、再度ばね素子５７によって図１および図２に示されるその開始態勢に復帰することができる。その後、導入素子４６は、矢印６６の方向に移動する伝達部材４５によって今度は矢印６７の方向に回転し、この場合、導入素子４６はこの回転方向に空転可能である。
【００３０】
打ち込み装置１０の作動を最初に開始させる前に、エネルギー蓄積ユニット１４７に圧縮荷重または引張荷重を掛けるために、燃焼エネルギーによって作動する駆動ユニット４２に、手動で作動させることのできるハンドグリップ１４４をさらに設けることができ、ピストン４４はこれによって移動させられる。しかし、ハンドグリップにピストン４４を把持させる代わりに、例えば直接導入素子４６を把持させるとともに、これを動作させることもできる。
【００３１】
上記で提案した解決法の代わりに、ばね素子５７をエネルギー蓄積装置として機能させることもできる。すなわち、エネルギー蓄積ユニット１４７の代わりに、伝達部材４５と換気手段４１との間に伝動装置を１個のみ設け、その際、導入素子４６の空転装置は、矢印６５の回転方向に定める（図２参照）。その後、ピストン４４が矢印６６の方向に復帰移動する際（図３参照）、制限素子３０が換気手段４１を開放すると同時に、導入素子４６と駆動素子４８とを含む伝動装置が、ばね素子５７によってシャフト４９にある換気手段４１を作動させる。エネルギー蓄積ユニット１４７を停止した後、シャフト４９における換気手段４１を惰性運転させるために、導入歯車５０にシャフト４９のための空転装置を構成することができる。
【００３２】
図４および５に示される手動ガイド式燃焼力作動型打ち込み装置１０は、まず、上述のものと比較して、燃焼室ハウジング１２がスリーブとして構成されているとともに、ピストンガイド１７に対して摺動可能に軸受されている点で相違する。連動桿として構成された押し付けロッド２５が、燃焼室ハウジング１２の端部を把持する一方で、押し付けロッド２５の他方の端部は、押し付け接触部５８に連結されている。
【００３３】
換気手段４１は、燃焼室１３の内部に配置されるとともに、そのシャフト４９によって燃焼室後壁１４のピボット軸受５６に保持される。燃焼室１３が分割されていないので、配量装置２２は、配量バルブを１個だけ有する。
【００３４】
燃焼エネルギーによって作動する駆動ユニット４２は、すでに図１〜３に記載したものとほぼ同様である。唯一の相違点は、エネルギー蓄積ユニット１４７に切替手段５３が設けられていることであり、駆動素子４８はこの切替手段５３によって切替えられる。この切替手段５３は、切替レバーとして構成され、この切替レバーはその軸受５５が切替ロッド５４に関節連結され、この切替ロッド５４は燃焼室ハウジング１２に固定される。
【００３５】
図４に示される態勢では、打ち込み装置１０はすでに下地Ｕに押し付けられており、従って、押し付けロッド２５は矢印７１の方向に移動した状態である。押し付けロッド２５によって燃焼室ハウジング１２または燃焼室スリーブは同様に矢印７１の方向に移動しており、従って出口開口１９および入口開口１５は閉鎖されている。切替手段５３も同様に矢印７１の方向にその第１態勢５１へ回動した状態であり、従って、エネルギー蓄積ユニット１４７の駆動素子４８は作動中である。このとき、駆動素子４８は回転するとともに、その回転は導入歯車５０を介して、換気手段４１を支持するシャフト４９に伝達され、この換気手段４１は矢印６８の示す回転方向に回転する。換気手段４１が回転することによって、燃焼室１３に乱気流が発生し、従って、燃焼室１３に封入された空気と燃料の混合物が点火および燃焼する際のエネルギー発生量がより大きくなる。換気手段４１は、すでに上記で説明されたように、ある一定時間作動し、その際、エネルギー蓄積ユニット１４７は、その時間が経過した後に自動的に停止されるか、または、作動スイッチ３８の作動によって停止される。この工程は、例えば、作動スイッチ３８に連結された、エネルギー蓄積ユニット１４７の図示されない更なる切替素子によって行うことができる。
【００３６】
図５に示される打ち込み装置１０は、打ち込みプロセスの実行後であって、すでに再度下地から引き上げられている。この場合、燃焼室ハウジング１２または燃焼室スリーブは、押し付けロッド２５によって矢印７０の方向に移動した状態であり、出口開口１９および入口開口１５は再度開いている。例えば、図面には示されないばね素子によって、押し付けロッド２５および燃焼室ハウジング１２を矢印７０の方向に復帰させることができる。燃焼室ハウジング１２と一緒に、切替ロッド５４も矢印７０の方向に移動した状態であるとともに、切替手段５３はその第２態勢に移行し、従って、エネルギー蓄積ユニット１４７の駆動素子４８は、再度作動状態となっている。駆動素子４８は回転するとともに、その回転は導入歯車５０を介して、換気手段４１を支持するシャフト４９に伝達され、この換気手段４１は矢印６８の示す回転方向に回転する。換気手段４１が回転することよって、矢印６９の方向に空気入口３９から燃焼室１３の内部に流れ込むととも、さらに出口開口１９を介してハウジング１１の排気開口１４０にいたる気流が発生する。この気流によって、依然として存在する排気ガスが周囲に排出される。その際、換気手段４１は、エネルギー蓄積ユニット１４７によって決定されるある一定時間だけ、エネルギー蓄積ユニット１４７によって作動する。その後、エネルギー蓄積ユニット１４７は、切替手段５３が新たにその第１態勢に移行するまで、駆動素子４８を再度阻害する。
【００３７】
図４および５に関する説明において説明されなかった参照符号および機能に関しては、上記の図１〜３に関する記述が完全に当てはまる。
【図面の簡単な説明】
【００３８】
【図１】本発明による打ち込み装置の休止態勢における部分縦断面図である。
【図２】下地に押し付けられた態勢にあるとともに、トリガスイッチが作動中の状態にある図１の打ち込み装置の部分図である。
【図３】図１の打ち込み装置の下地から引き上げられた態勢における部分図である。
【図４】本発明による変更型の打ち込み装置の下地に対して完全に押し付けられた態勢における説明図である。
【図５】図４の打ち込み装置の下地から引き上げられた態勢における説明図である。
【符号の説明】
【００３９】
１０  打ち込み装置
１１  ハウジング
１２  燃焼室ハウジング
１３  燃焼室
１４  燃焼室後壁
１５  入口開口
１６  打ち込みピストン
１７  ピストンガイド
１８  ピンガイド
１９  出口開口
２０  燃料タンク
２１  燃料導管
２２  配量装置
２３  点火ユニット
２４  点火装置
２５  押し付けロッド
２６  第１閉鎖手段
２７  第２閉鎖手段
２８  封止体
２９  封止素子
３０  制限素子
３１  第１小室
３２  第２小室
３３  分離壁
３４  環状プレート
３５  環状開口
３６  ハンドグリップ
３７  補給庫
３８  作動スイッチ
３９  空気入口
４０  換気手段装置
４１  換気手段
４２  駆動ユニット
４３  シリンダ
４４  ピストン
４５  伝達部材
４６  導入素子
４７  エネルギー蓄積装置
４８  駆動素子
４９  シャフト
５０  導入歯車
５１  第１態勢
５２  第２態勢
５３  切替手段
５４  切替ロッド
５５  軸受
５６  ピボット軸受
５７  ばね素子
５８  押し付け接触部
５９  支持素子
６０  縦断開口
６１〜７１  矢印
１３９  チャネル
１４０  排気開口
１４４  ハンドグリップ
１４７  エネルギー蓄積ユニット
Ｕ  下地
【図１】
2007098568.tif 000003
【図２】
2007098568.tif 000004
【図３】
2007098568.tif 000005
【図４】
2007098568.tif 000006
【図５】
2007098568.tif 000007